【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
複数の図柄列にそれぞれ複数種類の図柄を変動させて図柄変動ゲームを実行する演出実行手段と、前記図柄変動ゲームが大当りか否かの大当り抽選を行う大当り判定手段と、を備え、前記大当り判定手段の判定結果を肯定とした図柄変動ゲームで、リーチの図柄組み合わせを表示した後、リーチ演出を実行する遊技機において、
前記大当り判定手段の判定結果が否定の場合、リーチ演出を実行するか否かのリーチ判定を行うリーチ判定手段と、
リーチ演出を実行する場合、リーチの図柄組み合わせを構成するリーチ図柄を決定するリーチ図柄決定手段と、
リーチ演出の演出内容を決定するリーチ演出内容決定手段と、
前記リーチ演出内容決定手段が決定した演出内容でリーチ演出を実行するリーチ演出制御手段と、
実行され得るリーチ演出の演出内容を特定可能なリーチ演出要素として、前記リーチ演出内容決定手段が決定したリーチ演出の演出内容を特定可能なリーチ演出要素を含む複数のリーチ演出要素を、リーチ演出前に表示する演出要素表示手段と、を備え、
前記リーチ図柄と前記リーチ演出の演出内容との組み合わせによって規定される大当り期待度が異なっており、
前記演出要素表示手段は、
複数のリーチ演出要素を表示する際、前記リーチ図柄決定手段が決定したリーチ図柄と表示するリーチ演出要素により特定可能なリーチ演出の演出内容との組み合わせによる大当り期待度の大小を示唆することを特徴とする遊技機。
【請求項２】
前記演出要素表示手段が表示する複数のリーチ演出要素のうち、実際に実行されるリーチ演出の演出内容を特定可能なリーチ演出要素を最終的に示唆する示唆手段を備え、
前記示唆手段は、
前記演出要素表示手段が表示する複数のリーチ演出要素を、前記大当り期待度が低いものから順番に示唆していき、実際に実行されるリーチ演出の演出内容を特定可能なリーチ演出要素として、前記リーチ演出内容決定手段が決定したリーチ演出の演出内容を特定可能なリーチ演出要素を最終的に示唆することを特徴とする請求項１に記載の遊技機。
【請求項３】
前記演出実行手段は、図柄変動ゲームの表示結果を有効として表示する有効ラインを複数表示可能に構成されているとともに、異なる種類のリーチ図柄によるリーチの図柄組み合わせを複数表示可能に構成されており、
前記リーチ演出内容決定手段は、表示される複数種類のリーチ図柄のうち、何れかのリーチ図柄をもとにリーチ演出の演出内容を決定することを特徴とする請求項１又は請求項２に記載の遊技機。
【請求項４】
図柄の種類には、図柄変動ゲーム終了後、遊技者に有利な特別状態が付与されることを示す特別大当りの図柄組み合わせを構成する有利図柄と、図柄変動ゲーム終了後、前記特別状態が付与されないことを示す通常大当りの図柄組み合わせを構成する通常図柄と、が含まれ、
前記演出実行手段は、前記大当り判定手段の判定結果が肯定の場合のみ、複数の有効ラインにリーチの図柄組み合わせを表示するとともに、表示されるリーチ図柄には、有利図柄及び通常図柄の何れもが含まれていることを特徴とする請求項３に記載の遊技機。
【請求項５】
複数の図柄列にそれぞれ複数種類の図柄を変動させて図柄変動ゲームを実行する演出実行手段と、前記図柄変動ゲームが大当りか否かの大当り抽選を行う大当り判定手段と、を備え、前記大当り判定手段の判定結果を肯定とした図柄変動ゲームで、リーチの図柄組み合わせを表示した後、リーチ演出を実行する遊技機において、
前記大当り判定手段の判定結果が否定の場合、リーチ演出を実行するか否かのリーチ判定を行うリーチ判定手段と、
リーチ演出を実行する場合、リーチの図柄組み合わせを構成するリーチ図柄を決定するリーチ図柄決定手段と、
リーチ演出の演出内容を決定するリーチ演出内容決定手段と、
前記リーチ演出内容決定手段が決定した演出内容でリーチ演出を実行するリーチ演出制御手段と、
前記リーチの図柄組み合わせが表示されるよりも前に、前記リーチ演出内容決定手段が決定した演出内容を示唆するリーチ演出内容示唆演出を実行する示唆演出実行手段と、
リーチ演出内容示唆演出が実行された後、表示され得るリーチ図柄の種類として、前記リーチ図柄決定手段が決定したリーチ図柄を含む複数のリーチ図柄を、リーチの図柄組み合わせを表示する前に表示する図柄示唆手段と、を備え、
前記リーチ図柄と前記リーチ演出の演出内容との組み合わせによって規定される大当り期待度が異なっており、
前記図柄示唆手段は、
複数のリーチ図柄を表示する際、前記リーチ演出内容決定手段が決定した演出内容において、表示するリーチ図柄に応じた大当り期待度の大小を示唆することを特徴とする遊技機。
【手続補正２】
【補正対象書類名】明細書
【補正対象項目名】０００７
【補正方法】変更
【補正の内容】
【０００７】
上記問題点を解決するために、請求項１に記載の発明は、複数の図柄列にそれぞれ複数種類の図柄を変動させて図柄変動ゲームを実行する演出実行手段と、前記図柄変動ゲームが大当りか否かの大当り抽選を行う大当り判定手段と、を備え、前記大当り判定手段の判定結果を肯定とした図柄変動ゲームで、リーチの図柄組み合わせを表示した後、リーチ演出を実行する遊技機において、前記大当り判定手段の判定結果が否定の場合、リーチ演出を実行するか否かのリーチ判定を行うリーチ判定手段と、リーチ演出を実行する場合、リーチの図柄組み合わせを構成するリーチ図柄を決定するリーチ図柄決定手段と、リーチ演出の演出内容を決定するリーチ演出内容決定手段と、前記リーチ演出内容決定手段が決定した演出内容でリーチ演出を実行するリーチ演出制御手段と、実行され得るリーチ演出の演出内容を特定可能なリーチ演出要素として、前記リーチ演出内容決定手段が決定したリーチ演出の演出内容を特定可能なリーチ演出要素を含む複数のリーチ演出要素を、リーチ演出前に表示する演出要素表示手段と、を備え、前記リーチ図柄と前記リーチ演出の演出内容との組み合わせによって規定される大当り期待度が異なっており、前記演出要素表示手段は、複数のリーチ演出要素を表示する際、前記リーチ図柄決定手段が決定したリーチ図柄と表示するリーチ演出要素により特定可能なリーチ演出の演出内容との組み合わせによる大当り期待度の大小を示唆することを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発明は、請求項１に記載の遊技機において、前記演出要素表示手段が表示する複数のリーチ演出要素のうち、実際に実行されるリーチ演出の演出内容を特定可能なリーチ演出要素を最終的に示唆する示唆手段を備え、前記示唆手段は、前記大当り期待度が低いものから順番に示唆していき、実際に実行されるリーチ演出の演出内容を特定可能なリーチ演出要素として、前記リーチ演出内容決定手段が決定したリーチ演出の演出内容を特定可能なリーチ演出要素を最終的に示唆することを要旨とする。
【手続補正５】
【補正対象書類名】明細書
【補正対象項目名】００１０
【補正方法】変更
【補正の内容】
【００１０】
請求項３に記載の発明は、請求項１又は請求項２に記載の遊技機において、前記演出実行手段は、図柄変動ゲームの表示結果を有効として表示する有効ラインを複数表示可能に構成されているとともに、異なる種類のリーチ図柄によるリーチの図柄組み合わせを複数表示可能に構成されており、前記リーチ演出内容決定手段は、表示される複数種類のリーチ図柄のうち、何れかのリーチ図柄の種類に応じて設定された選択率でリーチ演出の演出内容を決定することを要旨とする。
【手続補正６】
【補正対象書類名】明細書
【補正対象項目名】００１１
【補正方法】変更
【補正の内容】
【００１１】
請求項４に記載の発明は、請求項３に記載の遊技機において、図柄の種類には、図柄変動ゲーム終了後、遊技者に有利な特別状態が付与されることを示す特別大当りの図柄組み合わせを構成する有利図柄と、図柄変動ゲーム終了後、前記特別状態が付与されないことを示す通常大当りの図柄組み合わせを構成する通常図柄と、が含まれ、前記演出実行手段は、前記大当り判定手段の判定結果が肯定の場合のみ、複数の有効ラインにリーチの図柄組み合わせを表示するとともに、表示されるリーチ図柄には、有利図柄及び通常図柄の何れもが含まれていることを要旨とする。
【手続補正７】
【補正対象書類名】明細書
【補正対象項目名】００１２
【補正方法】変更
【補正の内容】
【００１２】
請求項５に記載の発明は、複数の図柄列にそれぞれ複数種類の図柄を変動させて図柄変動ゲームを実行する演出実行手段と、前記図柄変動ゲームが大当りか否かの大当り抽選を行う大当り判定手段と、を備え、前記大当り判定手段の判定結果を肯定とした図柄変動ゲームで、リーチの図柄組み合わせを表示した後、リーチ演出を実行する遊技機において、前記大当り判定手段の判定結果が否定の場合、リーチ演出を実行するか否かのリーチ判定を行うリーチ判定手段と、リーチ演出を実行する場合、リーチの図柄組み合わせを構成するリーチ図柄を決定するリーチ図柄決定手段と、リーチ演出の演出内容を決定するリーチ演出内容決定手段と、前記リーチ演出内容決定手段が決定した演出内容でリーチ演出を実行するリーチ演出制御手段と、前記リーチの図柄組み合わせが表示されるよりも前に、前記リーチ演出内容決定手段が決定した演出内容を示唆するリーチ演出内容示唆演出を実行する示唆演出実行手段と、を備えている。
【手続補正８】
【補正対象書類名】明細書
【補正対象項目名】００１３
【補正方法】変更
【補正の内容】
【００１３】
そして、さらに請求項５に記載の発明は、リーチ演出内容示唆演出が実行された後、表示され得るリーチ図柄の種類として、前記リーチ図柄決定手段が決定したリーチ図柄を含む複数のリーチ図柄を、リーチの図柄組み合わせを表示する前に表示する図柄示唆手段を備え、前記リーチ図柄と前記リーチ演出の演出内容との組み合わせによって規定される大当り期待度が異なっており、前記図柄示唆手段は、複数のリーチ図柄を表示する際、前記リーチ演出内容決定手段が決定した演出内容において、表示するリーチ図柄に応じた大当り期待度の大小を示唆する。
【手続補正９】
【補正対象書類名】明細書
【補正対象項目名】０１４４
【補正方法】変更
【補正の内容】
【０１４４】
次に、上記実施形態及び別例（変形例）から把握できる技術的思想について以下に追記する。
（イ）前記リーチ図柄決定手段は、前記大当り判定手段の判定結果が肯定の場合には高確率で高期待度図柄を決定する一方で、前記大当り判定手段の判定結果が否定の場合には低確率で前記高期待度図柄を決定し、前記リーチ演出内容決定手段は、前記リーチ図柄決定手段が高期待度図柄を決定した場合、複数種類のリーチ演出の演出内容の中から、同じ選択率でリーチ演出の演出内容を決定する。
【手続補正１０】
【補正対象書類名】明細書
【補正対象項目名】０１４５
【補正方法】変更
【補正の内容】
【０１４５】
（ロ）遊技者が操作可能な演出用操作手段を備え、前記示唆手段は、前記演出用操作手段が操作されたことを契機に、実際に実行されるリーチ演出の演出内容を特定可能なリーチ演出要素として、前記リーチ演出内容決定手段が決定した演出内容を特定可能なリーチ演出要素を示唆する。
【手続補正１１】
【補正対象書類名】明細書
【補正対象項目名】０１４６
【補正方法】変更
【補正の内容】
【０１４６】
（ハ）リーチ図柄となり得る図柄の種類を特定可能なリーチ図柄要素として、前記リーチ図柄決定手段が決定したリーチ図柄の種類を特定可能なリーチ図柄要素を含む複数のリーチ図柄要素をリーチ演出前に表示する図柄要素表示手段と、前記図柄要素表示手段が表示する複数のリーチ図柄要素のうち、実際に実行されるリーチ演出の演出内容を特定可能なリーチ図柄要素を最終的に示唆する図柄示唆手段と、を備え、前記図柄要素表示手段は、複数のリーチ図柄要素を表示する際、前記リーチ演出内容決定手段が決定したリーチ演出の演出内容において、表示するリーチ図柄要素により特定可能なリーチ図柄の大当り期待度の大小を示唆し、前記図柄示唆手段は、複数のリーチ図柄を、前記リーチ演出内容決定手段が決定した演出内容において、大当り期待度が低いものから順番に示唆していき、最終的に表示されるリーチ図柄を特定可能なリーチ図柄要素として、前記リーチ図柄決定手段が決定したリーチ図柄を特定可能なリーチ図柄要素を示唆する。